(57)【要約】【課題】運搬や保管の際の取り扱いを効率化することができ、使用時の取り扱い性を向上することができる分断式包装袋を提供する。【解決手段】互いに重なり合って配置される第１シート４と第２シート６とを備え、袋状に形成され、第１シートと第２シートとが互いに重なり合う平面領域内に、第１シートと第２シートの両方を貫通する複数の孔がミシン目状に並んで形成される第１ミシン線１０が配置されると共に、この第１ミシン線に沿って第１シートと第２シートとを互いの対向方向に接合する接合部１８が形成され、第２シートにおける第１シートとは互いに重なり合わない平面領域内に、この第２シートを貫通する複数の孔が第１ミシン線の延長線上にミシン目状に並んで形成される第２ミシン線１２が配置され、第１ミシン線と第２ミシン線が、第２シートの平面領域を分割するように配置されるようにした。【選択図】図１
0003148451.tif 000002
【実用新案登録請求の範囲】
【請求項１】
互いに重なり合って配置される第１シートと第２シートとを備え、
前記第１シートと前記第２シートとが互いに重なり合う平面領域を囲むように、この重なり合う平面領域の外周の長さ一部分で、第１シートと第２シートが互いに繋がっていることにより、或いは、前記第１シートと前記第２シートとが互いに重なり合う平面領域の中の一部分の平面領域を囲むように、この一部分の平面領域の外周の長さ一部分で、第１シートと第２シートが互いに繋がっていることにより、袋状に形成され、
前記第１シートと前記第２シートとが互いに重なり合う平面領域内に、第１シートと第２シートの両方を貫通する複数の孔がミシン目状に並んで形成される第１ミシン線が、前記第１シートと前記第２シートとが互いに袋状に繋がって囲む平面領域内を通るように配置されると共に、この第１ミシン線に沿って第１シートと第２シートとを互いの対向方向に接合する接合部が形成され、
前記第２シートにおける前記第１シートとは互いに重なり合わない平面領域内に、この第２シートを貫通する複数の孔が前記第１ミシン線の延長線上にミシン目状に並んで形成される第２ミシン線が配置され、
前記第１ミシン線と前記第２ミシン線が、前記第２シートの平面領域を分割するように配置されている
ことを特徴とする分断式包装袋。
【請求項２】
前記接合部は、前記第１ミシン線における前記複数の孔のそれぞれを囲む略環状に形成される環状接合部が連なって形成されていることを特徴とする請求項１に記載の分断式包装袋。
【請求項３】
前記第１シート及び／又は第２シートとして、透明フィルムが用いられていることを特徴とする請求項１又は２に記載の分断式包装袋。
【請求項４】
前記第２シートにおける前記第１シート側の面であって、かつ、第１シートとは互いに重なり合わない平面領域内に、両面粘着テープが貼り付けられているか、又は粘着剤が塗布されていることを特徴とする請求項１から３のいずれかに記載の分断式包装袋。
【請求項５】
互いにほぼ同一形状であって、重なり合って配置される第１シートと第２シートとを備え、
前記第１シートと前記第２シートとが互いに重なり合う平面領域を囲むように、この重なり合う平面領域の外周の長さ一部分で、第１シートと第２シートが互いに繋がっていることにより、或いは、前記第１シートと前記第２シートとが互いに重なり合う平面領域の中の一部分の平面領域を囲むように、この一部分の平面領域の外周の長さ一部分で、第１シートと第２シートが互いに繋がっていることにより、袋状に形成され、
前記第１シートと前記第２シートの両方を貫通する複数の孔がミシン目状に並んで形成される第１ミシン線が、第１シートと第２シートの互いに重なり合う平面領域を分割するように、前記第１シートと前記第２シートとが互いに袋状に繋がって囲む平面領域内を通るように配置されると共に、この第１ミシン線に沿って第１シートと第２シートとを互いの対向方向に接合する接合部が形成されている
ことを特徴とする分断式包装袋。
【請求項６】
前記接合部は、前記第１ミシン線における前記複数の孔のそれぞれを囲む略環状に形成される環状接合部が連なって形成されていることを特徴とする請求項５に記載の分断式包装袋。
【請求項７】
前記第１シート及び／又は第２シートとして、透明フィルムが用いられていることを特徴とする請求項５又は６に記載の分断式包装袋。
【考案の詳細な説明】
【技術分野】
【０００１】
本考案は、野菜等の生鮮品等の保管又は運搬等の際に用いられる分断式包装袋に関するものである。
【背景技術】
【０００２】
従来は、例えば、大葉（青紫蘇の葉）をその生産地から消費地まで流通させる過程において、その運搬や保管の際には、この大葉を収納するのに丁度良い大きさの、小型の専用容器が用いられていた。この従来の専用容器は、合成樹脂製であって、蓋を有する硬質の箱状に形成されていた。
【０００３】
上記従来の専用容器には、所定枚数の大葉が、その表裏面及び上下方向が互いに揃うように重ね合わされた状態で詰め込まれる。また、このような大葉同士の互いの向きが揃えられた状態が、運搬時の振動等により不ぞろいになるのを防止するために、その茎部同士を輪ゴムで縛った状態にしてから詰め込まれていた。
【０００４】
この従来の専用容器は、その中に大葉が詰め込まれた後においては、この従来の専用容器よりも大型であって、運搬又は保管等に適した大きさの所定のケースや段ボール箱等に所定の数だけ詰め込まれ、そのような状態でまとめて取り扱われていた。
【考案の開示】
【考案が解決しようとする課題】
【０００５】
しかしながら、上記従来の専用容器は、箱状であって硬質に形成されていることにより、運搬用又は保管用のケースや段ボール箱等に詰め込む際に圧縮することができず、収納可能な個数を増やすことができないので、結局、このような運搬用又は保管用のケースや段ボール箱等により一括して扱うことができる大葉の枚数が少なくなってしまうため、非効率であるという問題点があった。
【０００６】
また、上記従来の専用容器は、その中に収納されている大葉を税関通過時や納品時等において検品する際には、この従来の専用容器ごとに、その蓋の開閉作業や、収納されている大葉を外に取り出したり元に戻したりする作業を行なわなければならないため、このような一連の作業に非常に時間を要すると共に、大葉に雑菌や異物等が付着する可能性が高くなるという問題点があった。
【０００７】
また、上記従来の専用容器は、密閉度が高いことにより熱が籠もり易いので、雑菌が繁殖し易くなって鮮度劣化が速くなってしまうという問題点があった。
【０００８】
また、上記従来の専用容器は、例えば、納品先の飲食業者等の調理場等では、この従来の専用容器をその運搬用又は保管用のケースや段ボール箱から外に取り出した状態で保管するようになるが、この従来の専用容器は圧縮することができないので、冷蔵庫内や棚等にその保管場所を確保するのが大変であると共に、在庫管理も大変になるという問題点があった。
【０００９】
また、上記従来の専用容器は、例えば、納品先の飲食業者等の調理場等では、上述したとおり、この従来の専用容器をその運搬用又は保管用のケースや段ボール箱から外に取り出した状態で、冷蔵庫内や棚等に保管するようになるが、その後において、この従来の専用容器に収納されている大葉を実際の料理に用いるときには、この従来の専用容器を一つずつ持ち運ばなければならないので煩わしいという問題点があった。
【００１０】
また、上記従来の専用容器は、その収納されている大葉を実際の料理に用いるときには、この従来の専用容器を調理人が手元に置いておくようになるが、圧縮して潰すことができないので、その使用の前後にわたり、調理人の作業場の有効な広さを圧迫して狭くしてしまうという問題点があった。
【００１１】
また、上記従来の専用容器は、茎部同士を輪ゴムで縛った状態の大葉が詰め込まれるので、この従来の専用容器の内部に輪ゴムの臭いが充満し、この臭いが大葉に乗り移ってしまうという問題点があった。
【００１２】
また、上記従来の専用容器（又は、同様の容器）は、その中に大葉以外の薄く平たい他の野菜等の生鮮食品等を収納する場合であっても、上記したのと同様の問題を生じていた。
【００１３】
そこで本考案は、上記問題点に鑑みて、運搬や保管の際の取り扱いを効率化することができ、検品作業を容易化することができ、雑菌の付着及び繁殖を防止することができ、保管場所の狭小化を図ることができ、在庫管理を容易化することができ、使用時の取り扱い性を向上することができ、輪ゴムを用いなくても収納品の向きが揃っている状態を維持することができる分断式包装袋を提供することを課題とするものである。
【課題を解決するための手段】
【００１４】
上記課題を解決するために本考案による分断式包装袋は、
互いに重なり合って配置される第１シートと第２シートとを備え、
前記第１シートと前記第２シートとが互いに重なり合う平面領域を囲むように、この重なり合う平面領域の外周の長さ一部分で、第１シートと第２シートが互いに繋がっていることにより、或いは、前記第１シートと前記第２シートとが互いに重なり合う平面領域の中の一部分の平面領域を囲むように、この一部分の平面領域の外周の長さ一部分で、第１シートと第２シートが互いに繋がっていることにより、袋状に形成され、
前記第１シートと前記第２シートとが互いに重なり合う平面領域内に、第１シートと第２シートの両方を貫通する複数の孔がミシン目状に並んで形成される第１ミシン線が、前記第１シートと前記第２シートとが互いに袋状に繋がって囲む平面領域内を通るように配置されると共に、この第１ミシン線に沿って第１シートと第２シートとを互いの対向方向に接合する接合部が形成され、
前記第２シートにおける前記第１シートとは互いに重なり合わない平面領域内に、この第２シートを貫通する複数の孔が前記第１ミシン線の延長線上にミシン目状に並んで形成される第２ミシン線が配置され、
前記第１ミシン線と前記第２ミシン線が、前記第２シートの平面領域を分割するように配置されていることを特徴とするものである。
【００１５】
また、本考案による分断式包装袋は、前記接合部は、前記第１ミシン線における前記複数の孔のそれぞれを囲む略環状に形成される環状接合部が連なって形成されていることを特徴とするものである。
【００１６】
また、本考案による分断式包装袋は、前記第１シート及び／又は第２シートとして、透明フィルムが用いられていることを特徴とするものである。
【００１７】
また、本考案による分断式包装袋は、前記第２シートにおける前記第１シート側の面であって、かつ、第１シートとは互いに重なり合わない平面領域内に、両面粘着テープが貼り付けられているか、又は粘着剤が塗布されていることを特徴とするものである。
【００１８】
また、上記課題を解決するために本考案による分断式包装袋は、
互いにほぼ同一形状であって、重なり合って配置される第１シートと第２シートとを備え、
前記第１シートと前記第２シートとが互いに重なり合う平面領域を囲むように、この重なり合う平面領域の外周の長さ一部分で、第１シートと第２シートが互いに繋がっていることにより、或いは、前記第１シートと前記第２シートとが互いに重なり合う平面領域の中の一部分の平面領域を囲むように、この一部分の平面領域の外周の長さ一部分で、第１シートと第２シートが互いに繋がっていることにより、袋状に形成され、
前記第１シートと前記第２シートの両方を貫通する複数の孔がミシン目状に並んで形成される第１ミシン線が、第１シートと第２シートの互いに重なり合う平面領域を分割するように、前記第１シートと前記第２シートとが互いに袋状に繋がって囲む平面領域内を通るように配置されると共に、この第１ミシン線に沿って第１シートと第２シートとを互いの対向方向に接合する接合部が形成されていることを特徴とするものである。
【００１９】
また、本考案による分断式包装袋は、前記接合部は、前記第１ミシン線における前記複数の孔のそれぞれを囲む略環状に形成される環状接合部が連なって形成されていることを特徴とするものである。
【００２０】
また、本考案による分断式包装袋は、前記第１シート及び／又は第２シートとして、透明フィルムが用いられていることを特徴とするものである。
【考案の効果】
【００２１】
このような本考案の分断式包装袋によれば、
互いに重なり合って配置される第１シートと第２シートとを備え、
前記第１シートと前記第２シートとが互いに重なり合う平面領域を囲むように、この重なり合う平面領域の外周の長さ一部分で、第１シートと第２シートが互いに繋がっていることにより、或いは、前記第１シートと前記第２シートとが互いに重なり合う平面領域の中の一部分の平面領域を囲むように、この一部分の平面領域の外周の長さ一部分で、第１シートと第２シートが互いに繋がっていることにより、袋状に形成され、
前記第１シートと前記第２シートとが互いに重なり合う平面領域内に、第１シートと第２シートの両方を貫通する複数の孔がミシン目状に並んで形成される第１ミシン線が、前記第１シートと前記第２シートとが互いに袋状に繋がって囲む平面領域内を通るように配置されると共に、この第１ミシン線に沿って第１シートと第２シートとを互いの対向方向に接合する接合部が形成され、
前記第２シートにおける前記第１シートとは互いに重なり合わない平面領域内に、この第２シートを貫通する複数の孔が前記第１ミシン線の延長線上にミシン目状に並んで形成される第２ミシン線が配置され、
前記第１ミシン線と前記第２ミシン線が、前記第２シートの平面領域を分割するように配置されていることにより、
運搬や保管の際の取り扱いを効率化することができ、検品作業を容易化することができ、雑菌の付着及び繁殖を防止することができ、保管場所の狭小化を図ることができ、在庫管理を容易化することができ、使用時の取り扱い性を向上することができ、輪ゴムを用いなくても収納品の向きが揃っている状態を維持することができる。
【００２２】
また、このような本考案の分断式包装袋によれば、
互いにほぼ同一形状であって、重なり合って配置される第１シートと第２シートとを備え、
前記第１シートと前記第２シートとが互いに重なり合う平面領域を囲むように、この重なり合う平面領域の外周の長さ一部分で、第１シートと第２シートが互いに繋がっていることにより、或いは、前記第１シートと前記第２シートとが互いに重なり合う平面領域の中の一部分の平面領域を囲むように、この一部分の平面領域の外周の長さ一部分で、第１シートと第２シートが互いに繋がっていることにより、袋状に形成され、
前記第１シートと前記第２シートの両方を貫通する複数の孔がミシン目状に並んで形成される第１ミシン線が、第１シートと第２シートの互いに重なり合う平面領域を分割するように、前記第１シートと前記第２シートとが互いに袋状に繋がって囲む平面領域内を通るように配置されると共に、この第１ミシン線に沿って第１シートと第２シートとを互いの対向方向に接合する接合部が形成されていることにより、
運搬や保管の際の取り扱いを効率化することができ、検品作業を容易化することができ、雑菌の付着及び繁殖を防止することができ、保管場所の狭小化を図ることができ、在庫管理を容易化することができ、使用時の取り扱い性を向上することができ、輪ゴムを用いなくても収納品の向きが揃っている状態を維持することができる。
【考案を実施するための最良の形態】
【００２３】
以下、本考案に係る分断式包装袋の最良の実施の形態について、図面に基づいて具体的に説明する。
図１から図６のそれぞれは、本考案の一実施の形態に係る分断式包装袋２について説明するために参照する図である。
【００２４】
本実施の形態に係る分断式包装袋２は、図１及び図２に示すように、互いに重なり合って配置される第１シート４と第２シート６とを１枚ずつ備えている。この第１シート４と第２シート６は、図示しない平面形状が長方形である薄い透明フィルムの不図示の素材から、その下端側の一定高さ部分が、幅全体に渡って上方に折り返されることにより、図２に示すように、互いの下端部同士が一体的に繋がった状態で形成される。
【００２５】
分断式包装袋２は、第２シート６の方が、第１シート４よりも高い高さ寸法を有するように形成されていることにより、第１シート４は、図１に示すように、その上辺以外の他の３辺が、第２シート６の対応する辺と互いに重なり合って、その平面領域全体が、第２シート６における下端部側の平面領域と互いに重なり合うように配置されている。
【００２６】
第１シート４における幅方向の両端部の、高さ方向に伸びる２辺のそれぞれは、第２シート６の対応する辺のそれぞれに融着されている。すなわち、第１シート４における幅方向の右側端部の、高さ方向に伸びる一辺は、図３に示すように、その長さ全体にわたって第２シート６の対応する辺に、図３中のハッチングで示す長さ部分において融着されている。
【００２７】
また、図１に示すように、第１シート４における幅方向の左側端部の、高さ方向に伸びる一辺も、上記した右側端部の１辺と同様に、その長さ全体にわたって第２シート６の対応する辺に融着されている。
【００２８】
分断式包装袋２は、その第１シート４における外周の上辺以外の他の３辺、すなわち、この第１シート４と第２シート６とが互いに重なり合う平面領域の外周の長さ一部分で、第１シート４と第２シート６が、この互いに重なり合う平面領域を囲むように互いに繋がっていることにより、上方に開口する袋状に形成されている。
【００２９】
また、分断式包装袋２には、第２シート６の平面領域を、それぞれ独自に分割する４本のミシン線８が形成されている。このミシン線８は、第１シート４と第２シート６とが互いに重なり合う平面領域内に形成される第１ミシン線１０と、第２シート６における第１シート４とは互いに重なり合わない平面領域内に形成される第２ミシン線１２とで構成されている。
【００３０】
第１ミシン線１０は、図４に示すように、第１シート４と第２シート６の両方を貫通する複数の孔１０ａがミシン目状に並んで形成されている。また、図１に示すように、第２ミシン線１２は、第２シート６を貫通する複数の細長い孔が、第１ミシン線１０の延長上に、ミシン目状に並んで形成されている。
【００３１】
ここで、この第２ミシン線１２の複数の孔のそれぞれは、第１ミシン線１０の孔１０ａと同じ平面形状で開口するように形成されているので、第１ミシン線１０の孔１０ａを図示した図４のような拡大平面図による図示は省略する。
【００３２】
また、分断式包装袋２には、図４に示すように、第１ミシン線１０における複数の孔１０ａのそれぞれを囲んで環状に形成され、第１シート４と第２シート６とが互いの対向方向に融着して接合する複数の環状接合部１６が形成されている。この複数の環状接合部１６は、第１ミシン線１０の複数の孔１０ａのそれぞれに対応して形成されていることにより、結局、この第１ミシン線１０に沿って連なるように形成され、この複数の環状接合部１６のそれぞれがまとまって、図１に示すように、全体で１本の点線状の接合部１８を構成するようになっている。
【００３３】
これにより、４本の点線状の接合部１８のそれぞれは、第１シート４と第２シート６との間の隙間の平面領域を、５つの小さい平面領域に仕切るようになっている。
【００３４】
ここで、分断式包装袋２のミシン線８を形成するには、図示しないが、例えば、このミシン線８の複数の孔のそれぞれに対応する一直線上に並んだ複数の凸部を有する不図示の特殊ごてを、分断式包装袋２に押し当てることにより形成することができる。
【００３５】
また、このような場合には、この不図示の特殊ごてにおける凸部のそれぞれの縁部外周に沿って、第１シート４と第２シート６が互いに融着することにより、接合部１８の環状接合部１６が、ミシン線８と同時に形成されるようになる。
【００３６】
また、分断式包装袋２は、図１に示すように、第２シート６における第１シート４側の面であって、かつ、第１シート４とは互いに重なり合わない平面領域内に、両面粘着テープ２０が貼り付けられている。
【００３７】
分断式包装袋２は、第１シート４と第２シート６との間の隙間の平面領域の、接合部１８で仕切られる５つの小さい平面領域ごとに、不図示の重ねて揃えた状態の何枚かの大葉を収納した後に、第２シート６の上端部が折り返され、両面粘着テープ２０における第２シート６側の面とは反対側の面が、第１シート４の上端部に貼り付けられることにより、図５に示すように、封止されるようになっている。
【００３８】
なお、両面粘着テープ２０は、第２シート６の上端部を折り返して封止する作業の直前時まで、不図示の非粘着性テープで覆われていることにより、大葉等には貼り付かないようになっており、封止作業は、この不図示の非粘着性テープを剥がして行なうようになっている。両面粘着テープ２０は、その第２シート６側の面とは反対側の面が、一旦、第１シート４の上端部に貼り付けられた後においても、剥がしたり再び貼り付けたりすることができるようになっている。
【００３９】
また、分断式包装袋２は、その流通後に、例えば、納品先の飲食業者等の調理場等で、この分断式包装袋２に収納した大葉が実際に使用される際には、そのミシン線８で分断されることにより、大葉を小分けして使用することができるようになっている。
【００４０】
また、分断式包装袋２は、そのミシン線８のうちの第１ミシン線１０の部分が、図４に示す状態から分断され、図６に示す状態になっても、第１ミシン線１０と一緒に分断された接合部１８のそれぞれにより、側方に開口しないようになっているで、分断式包装袋２は、大葉を収納した状態を維持するようになっている。
【００４１】
このような本実施の形態に係る分断式包装袋２によれば、運搬や保管の際の取り扱いを効率化することができ、検品作業を容易化することができ、雑菌の付着及び繁殖を防止することができ、保管場所の狭小化を図ることができ、在庫管理を容易化することができ、使用時の取り扱い性を向上することができ、輪ゴムを用いなくても収納品の向きが揃っている状態を維持することができる。
【００４２】
すなわち、本実施の形態に係る分断式包装袋２によれば、従来の圧縮不可能な硬質の専用容器と異なって、その第１シート４と第２シート６とが、これらの間に収納される大葉を柔らかく挟みこんで必要最小限の厚さを保持するようになっていることにより、従来の硬質の専用容器よりも小型化されると共に、この分断式包装袋２を所定の数だけ収納するための運搬用又は保管用のケース又は段ボール箱等をも小型化することができるので、運搬や保管の際の取り扱いを効率化することができる。
【００４３】
また、本実施の形態に係る分断式包装袋２によれば、この分断式包装袋２は十分に軽いので、この分断式包装袋２を運搬用又は保管用のケース又は段ボール箱等の中に積み重ねていくように詰め込んでも、下側の方に詰め込まれた分断式包装袋２内の大葉が、その上側に積み上げられていく分断式包装袋２及びこれに収納した大葉の重さにより潰されるおそれがない。
【００４４】
また、本実施の形態に係る分断式包装袋２によれば、この分断式包装袋２を開封して検品を行なうとしても、この開封作業が容易なので、検品作業を容易化することができる。
【００４５】
また、本実施の形態に係る分断式包装袋２によれば、その第１シート４と第２シート６に透明フィルムが用いられていることにより、この分断式包装袋２に収納した大葉の検品を目視だけで行なうようにする場合には、大葉を中から取り出さずに済ませることができるので検品作業を更に容易化することができると共に、大葉に直接触れずに済むので雑菌の付着及び繁殖を防止することができる。
【００４６】
また、本実施の形態に係る分断式包装袋２によれば、構造的に完全密閉されずに若干の通気性を有するようになっていることにより、この分断式包装袋２内に熱が籠もらないようになっているので、このような観点からも、分断式包装袋２内の雑菌の繁殖を防止することができる。
【００４７】
また、本実施の形態に係る分断式包装袋２によれば、上述した通り、この分断式包装袋２が小型化されると共に、この分断式包装袋２を所定の数だけ収納するための運搬用又は保管用のケース又は段ボール箱等をも小型化することができるので、納品先等においても、その保管場所の狭小化を図ることができ、在庫管理を容易化することができ、
【００４８】
また、本実施の形態に係る分断式包装袋２によれば、分断式になっていることにより、納品先の調理場等での使用時に、分断前においては分断式包装袋２内に収納された大葉をまとめて持ち運ぶことができ、大葉を調理等に用いる際には、分断式包装袋２をそのミシン目８により使用分だけ分断して開封し、使用しない分は未開封のままにしておくことができるので、使用時の取り扱い性を向上することができる。
【００４９】
また、本実施の形態に係る分断式包装袋２によれば、大葉を料理に用いる際に、この分断式包装袋２を調理人の手元に置いておく必要があるときでも、そのミシン目８で折り畳んで小型化しておくことができるので、調理人の作業場の有効な広さを圧迫したり狭くしたりしないようにすることができる。
【００５０】
また、本実施の形態に係る分断式包装袋２によれば、第１シート４と第２シート６とが、これらの間に収納する大葉を柔らかく挟み込んで保持するようになっているので、この分断式包装袋２内に複数の大葉をその表裏面及び上下方向の向きを揃えた状態で収納した後は、この複数の大葉の茎同士を輪ゴムで束ねなくても、このような揃った状態を維持しておくことができる。
【００５１】
また、本実施の形態に係る分断式包装袋２によれば、上述した通り、収納する大葉の茎同士を輪ゴムで束ねておく必要がないので、大葉に輪ゴムの臭いが乗り移ってしまうことを防止することができる。
【００５２】
なお、本実施の形態に係る分断式包装袋２においては、その第１シート４と第２シート６とが同一素材から折り曲げられて形成されていたが、これらが互いに別個の素材として用意され、互いの外周の一部同士が融着されることだけによって、袋状に形成されるようになっていても良い。
【００５３】
また、本実施の形態に係る分断式包装袋２においては、その第２シート６の平面領域が、第１シート４の平面領域よりも大きかったが、第１シート４と第２シート６のそれぞれの平面領域の大きさが同じあってもよい。このような場合には、第２シート６における第１シート４と互いに重なり合わない領域は生じないので、第２ミシン線１２は形成されないようになることはいうまでもない。
【００５４】
また、本実施の形態に係る分断式包装袋２においては、その第１シート４と第２シート６のそれぞれが、略長方形の形状に形成されていたが、長方形以外の形状に形成されていても良い。
【００５５】
また、本実施の形態に係る分断式包装袋２においては、その第１シート４における四辺のうちの上辺以外の他の３辺、すなわち、第１シート４の外周の一部分が、これに対応する第２シート６の外周と重なり合うようになっていたが、第１シート４と第２シート６は、互いの外周が重なり合わないようになっていても良い。
【００５６】
例えば、第２シートの中央に、これよりも小さい平面形状に形成された第１シートが配置され、この第１シートの外周が、第１シートと第２シートの互いに重なり合う平面領域を囲むように融着されることにより袋構造をなすようになっていても良い。
【００５７】
また、本実施の形態に係る分断式包装袋２においては、その第１シート４における四辺のうちの上辺以外の他の３辺と、これらと互いに重なり合う第２シート６の３辺、すなわち、第１シート４と第２シート６における互いに重なり合う平面領域の外周の長さ一部分同士が、互いに繋がって袋状に形成されていたが、第１シート４と第２シート６は、その重なり合う平面領域の中の一部分の任意の限定領域だけが囲まれるように、このような限定領域の外周の長さ一部分だけがヒートシール等により互いに接合されるようにすることにより、この限定領域を収納部分とする袋状に形成されるようになっていてもよい。
【００５８】
このような場合には、ミシン線８の第１ミシン線１０は、第１シート４と第２シート６の互いに重なり合う平面領域の中に含まれる、上記した袋状に囲まれる一部分の平面領域（限定領域）の内側を通るように配置する。
【００５９】
また、本実施の形態に係る分断式包装袋２における接合部１８は、環状接合部１６が連なって形成されていたが、接合部１８は、このようなものに限定されない。例えば、接合部１８は、１本の略帯状に形成され、その幅方向の真ん中に第１ミシン線１０が形成されるようになっていても良い。
【００６０】
また、本実施の形態に係る分断式包装袋２における接合部１８は、その複数の環状接合部１６同士が互いに離れて形成されていたが、隣り合う環状接合部１６同士が互いに繋がるように形成されていてもよい。
【００６１】
また、本実施の形態に係る分断式包装袋２においては、その第２シート６に両面粘着テープ２０が貼り付けられていたが、この両面粘着テープ２０の代わりに、第２シート６に粘着剤が塗布されていてもよい。
【００６２】
また、本実施の形態に係る分断式包装袋２においては、第１シート４及び第２シート６の両方に透明フィルムが用いられていたが、第１シート４と第２シート６のいずれか一方又は両方に、紙等の透明フィルム以外の素材が用いられていても良い。
【００６３】
また、本実施の形態に係る分断式包装袋２においては、ミシン線８と接合部１８は４本ずつ形成されていたが、３本以下ずつ又は５本以上ずつ形成されていても良い。
【００６４】
また、本実施の形態に係る分断式包装袋２においては、大葉を収納するようになっていたが、大葉以外の薄く平たい他の野菜等の生鮮食品等を収納するようになっていても良い。
【図面の簡単な説明】
【００６５】
【図１】本考案の一実施の形態に係る分断式包装袋２を示す正面図である。
【図２】図１に示す分断式包装袋２のＡ−Ａ線矢視図である。
【図３】図１に示す分断式包装袋２の長さ方向の一端部を示す拡大平面図である。
【図４】図１に示す分断式包装袋２のミシン目８及び接合部１８の一部を示す拡大平面図である。
【図５】図１に示す分断式包装袋２のミシン目８及び接合部１８の一部を示す図であって、ミシン目８により分断した状態を示す拡大平面図である。
【図６】本考案の一実施の形態に係る分断式包装袋２と、これに収納される大葉を示す正面図である。
【符号の説明】
【００６６】
２  分断式包装袋
４  第１シート
６  第２シート
８  ミシン線
１０  第１ミシン線
１０ａ  孔
１２  第２ミシン線
１６  環状接合部
１８  接合部
２０  両面粘着テープ
【図１】
0003148451.tif 000003
【図２】
0003148451.tif 000004
【図３】
0003148451.tif 000005
【図４】
0003148451.tif 000006
【図５】
0003148451.tif 000007
【図６】
0003148451.tif 000008